(57)【要約】【課題】スピンアップ処理時間を短縮可能な光ディスク装置を提供する。【解決手段】光ディスク２０の内周部分Ａを主に走査する第一光ピックアップＰ１と、光ディスクの外周部分Ｂを主に走査する第二光ピックアップＰ２を備え、光ディスク２０の装着後に開始されるスピンアップ処理の際に、第一光ピックアップＰ１を介して内周部分Ａのディスク情報を読み取り、第二光ピックアップＰ２を介して外周部分Ｂのディスク情報を読み取る構成とした。【選択図】図１
2011113583.tif 000002
【特許請求の範囲】
【請求項１】
光ディスクの信号記録面に対してレーザー光を照射し、信号記録面からの反射光を受光し、当該光ディスク上の記録信号を再生する光ディスク装置において、
光ディスクの内周部分を主に走査する第一光ピックアップと、光ディスクの外周部分を主に走査する第二光ピックアップを備え、
光ディスクの装着後に開始されるスピンアップ処理の際に、前記第一光ピックアップを介して前記内周部分のディスク情報を読み取り、前記第二光ピックアップを介して前記外周部分のディスク情報を読み取る構成としたことを特徴とする光ディスク装置。
【請求項２】
前記第一、第二光ピックアップが、それぞれ駆動部を備えて独立して駆動可能であると共に、一括制御部に接続されていることを特徴とする請求項１に記載の光ディスク装置。
【請求項３】
前記第一、第二光ピックアップの走査領域をラップさせていることを特徴とする請求項１または２に記載の光ディスク装置。
【請求項４】
前記第一光ピックアップが読み取る第一情報と前記第二光ピックアップが読み取る第二情報とを同時に出力可能としたことを特徴とする請求項１から３のいずれかに記載の光ディスク装置。
【発明の詳細な説明】
【技術分野】
【０００１】
本発明は、光ディスクに記録された情報を再生、または光ディスクに対して情報の記録／再生を行う光ディスク装置に関する。
【背景技術】
【０００２】
従来、円盤状記憶媒体として、ＣＤ（コンパクトディスク）やＤＶＤ（デジタル多用途ディスク）やＨＤ−ＤＶＤ（高密度ＤＶＤ）やブルーレイディスクなどの、多種類の光ディスクが実用化されている。このような多種類の光ディスクの再生または記録を行う光ディスク装置においては、使用するレーザー光の波長、記録面までの透明層の深さなどが異なることから、光ピックアップが備える対物レンズの位置を、それぞれの光ディスクに対応させて変位させている。また、レーザー光をディスクに形成された記録面に正確に照射するために、フォーカス方向とトラッキング方向に光学スポットを変位させるサーボ制御を行っている。
【０００３】
このフォーカス方向の補正がフォーカシング調整であり、トラッキング方向の補正がトラッキング調整であって、対物レンズ駆動装置（対物レンズアクチュエータ）を介してこれらのフォーカシング調整とトラッキング調整を行っている。なお、フォーカス方向とは、対物レンズの光軸方向と平行な方向であり、トラッキング方向とは、光ディスクの半径方向と平行な方向である。
【０００４】
光ディスクの再生時には、光ディスクに記録されている音声データや映像データなどを読み出す前に、光ピックアップの自動調整を行ってから音声データや映像データなどを読み出して再生を行う。この自動調整は、光ピックアップの特性に合わせてサーボ制御の最適なパラメータを決定する最適化調整である。また、光ディスクを回転させながら光ディスクの種類を判別しディスク情報を読み取り、光ピックアップを再生を開始する初期位置に設定する処理を行う。
【０００５】
そのために、光ディスクが挿入されると、光ディスクを立ち上げて、光ディスクの種類を判別し、判別された光ディスクの種類に応じた制御パラメータを決定し、ディスクの記録状態に応じて光ピックアップを初期位置に設定する処理（スピンアップ処理）が実行され、その後で、再生または記録が開始される。
【０００６】
ディスク情報は、光ディスクの制御情報や記録状態を示す情報であり、トラック数、トラック開始アドレス、トラック終了アドレスなどの情報を含んでいる。よって、ディスク情報を読み取ることにより、光ディスク上の記録領域と未記録領域の位置を知ることができる。
【０００７】
このディスク情報を読み取る際には、光ピックアップをディスク半径の全域に亘って走査移動させて、光ディスクの内周部に記録されたディスク情報や光ディスクの外周部に記録されたディスク情報を読み取る構成としている。そのために、再生開始時や記録開始時においては、光ディスク全面に亘って光ピックアップを走査移動させる時間が必要となっている。
【０００８】
上記したように、光ディスク装置は光ディスクの再生が良好に行われるよう、再生に先立ち、記録面の全面に対してフォーカシング調整及びトラッキング調整の制御状態を所定の制御状態とするための準備動作としてスピンアップ処理を行う。また、このスピンアップ処理には、数秒を要している場合がある。
【０００９】
また、直ちに録画映像を再生した場合でも、所定のディスクの種類判別を行い、ディスクの記録状態を調べた後で再生を開始するので、実際に再生が開始されるまでに時間がかかっている。そのために、二個の光ピックアップを設けて、第一の光ピックアップを用いて再生用ディスクに対する読み取り動作を実行させ、第二の光ピックアップを用いて記録用ディスクに対する読み取り動作を実行させて、ローディングされたディスクが再生用ディスクの場合に直ちに再生を開始する構成として再生開始までの時間を短縮するとした光ディスク記録再生装置（例えば、特許文献１参照）が既に出願されている。
【００１０】
また、複数の読み取りヘッドまたは複数の記録ヘッドを搭載してデータの編集機能を向上するとした情報処理装置（例えば、特許文献２参照）が既に出願されている。
【先行技術文献】
【特許文献】
【００１１】
【特許文献１】特開２００６−１４６９８６号公報
【特許文献２】特開２００５−３５３１８１号公報
【発明の概要】
【発明が解決しようとする課題】
【００１２】
光ディスクを光ディスク装置に装着した後で実行されるスピンアップ処理は、光ディスクの半径方向の全域に亘って実行されるので、スピンアップ処理の時間が長くかかっていた。
【００１３】
また、複数の光ピックアップを備える光ディスク装置であっても、スピンアップ処理の際にそれぞれの光ピックアップが光ディスクの半径方向の全域を読み取る構成であれば、動作開始時の自動調整およびスピンアップ処理の時間を十分短縮することはできない。
【００１４】
そのために、光ディスクの半径方向の全域に亘ってスピンアップ処理を実行する場合でも、処理時間を短縮可能な光ディスク装置が求められる。
【００１５】
本発明は、上記問題点に鑑み、スピンアップ処理時間を短縮可能な光ディスク装置を提供することを目的とする。
【課題を解決するための手段】
【００１６】
上記目的を達成するために本発明は、光ディスクの信号記録面に対してレーザー光を照射し、信号記録面からの反射光を受光し、当該光ディスク上の記録信号を再生する光ディスク装置において、光ディスクの内周部分を主に走査する第一光ピックアップと、光ディスクの外周部分を主に走査する第二光ピックアップを備え、光ディスクの装着後に開始されるスピンアップ処理の際に、前記第一光ピックアップを介して前記内周部分のディスク情報を読み取り、前記第二光ピックアップを介して前記外周部分のディスク情報を読み取る構成としたことを特徴としている。
【００１７】
この構成によると、光ディスクの内周部分と外周部分とに記録されたディスク情報を読み取る場合でも、二つの光ピックアップを用いて別々にそれぞれのディスク情報を読み取ることができ、スピンアップ処理時間を短縮可能な光ディスク装置を得ることができる。
【００１８】
また本発明は、上記構成の光ディスク装置において、前記第一、第二光ピックアップが、それぞれ駆動部を備えて独立して駆動可能であると共に、一括制御部に接続されていることを特徴としている。この構成によると、光ディスクの内周部分と外周部分のディスク情報の読み取りを同時に安定して実行することが可能となる。そのために、光ディスクの内周部分と外周部分とのスピンアップ処理を同時に実行可能となって、スピンアップ処理時間を短縮することができる。
【００１９】
また本発明は、上記構成の光ディスク装置において、前記第一、第二光ピックアップの走査領域をラップさせていることを特徴としている。この構成によると、第一、第二光ピックアップ境界部の読み取りエラーを完全に防止可能となる。
【００２０】
また本発明は、上記構成の光ディスク装置において、前記第一光ピックアップが読み取る第一情報と前記第二光ピックアップが読み取る第二情報とを同時に出力可能としていることを特徴としている。この構成によると、再生操作時には、二つの光ピックアップが取得した情報を一括に出力して、これらの二つの情報を分割された二画面にそれぞれ別に表示し、また、一画面に重畳表示することも可能となる。
【発明の効果】
【００２１】
本発明によれば、光ディスクの内周部分を主に走査する第一光ピックアップと、光ディスクの外周部分を主に走査する第二光ピックアップを備え、光ディスクの装着後に開始されるスピンアップ処理の際に、第一光ピックアップを介して内周部分のディスク情報を読み取り、第二光ピックアップを介して外周部分のディスク情報を読み取る構成としたので、スピンアップ処理時間を短縮可能な光ディスク装置を得ることができる。
【図面の簡単な説明】
【００２２】
【図１】本発明に係る光ディスク装置の概略説明図である。
【図２】本発明に係る光ディスク装置の変形例を示す概略説明図である。
【図３】スピンアップ処理の動作を示すフローチャートである。
【図４】光ピックアップの要部構成を示す概略説明図である。
【発明を実施するための形態】
【００２３】
以下に本発明の実施形態を図面を参照して説明する。また、同一構成部材については同一の符号を用い、詳細な説明は適宜省略する。
【００２４】
本実施形態の光ディスク装置１は、光ピックアップＰを用いて光ディスク２０にレーザー光を照射してデータの記録又は再生を行う装置であり、図１に示すように、光ディスク２０を回転させるスピンドルモータ３０と、光ディスク２０の内周部分Ａを主に走査する第一光ピックアップＰ１と、光ディスク２０の外周部分Ｂを主に走査する第二光ピックアップＰ２を備えた構成とされている。
【００２５】
また、第一光ピックアップＰ１が備える第一制御部１４Ａと第二光ピックアップＰ２が備える第二制御部１４Ｂとを一括制御部４０に接続し、この一括制御部４０を介して、スピンドルモータ３０の駆動を行い、第一、第二ピックアップＰ１、Ｐ２の駆動を一括制御可能にしている。
【００２６】
そのために、光ディスク２０の再生開始時には、第一光ピックアップＰ１を用いて光ディスク２０の内周部分Ａのスピンアップ処理を行い、同時に、第二光ピックアップＰ２を用いて光ディスク２０の外周部分Ｂのスピンアップ処理を行うことができる。また、第一光ピックアップＰ１を用いて光ディスク２０の内周部分Ａの再生処理を行い、第二光ピックアップＰ２を用いて光ディスク２０の外周部分Ｂの再生処理を行うことも可能としている。
【００２７】
この再生処理の際に、光ディスク２０の内周部分Ａを主に走査する第一光ピックアップＰ１と、光ディスク２０の外周部分Ｂを主に走査する第二光ピックアップＰ２を備えた構成であっても、一括制御部４０を介して一括制御可能としているので、内周部分Ａから外周部分Ｂに連続している記録データの再生も、正確に連続して再生可能となる。
【００２８】
次に、図４を用いて光ピックアップの構成について説明する。光ピックアップＰ（Ｐ１、Ｐ２）は、光源となるレーザーダイオード２と、偏光ビームスプリッタ３と、コリメートレンズ４と、立ち上げミラー５と、１／４波長板６と、対物レンズ７と、シリンドリカルレンズ８と、光検出器９とを備えていて、対物レンズ７を用いてレーザー光を光ディスク２０の記録面２０ａに集光させている。
【００２９】
レーザーダイオード２は、所定波長のレーザー光を出射する半導体レーザーであって、光ディスク２０に対応して選択される。また、一種類の光ディスク２０に対応した一つのレーザーダイオード２を備えた光ピックアップＰ（Ｐ１、Ｐ２）として図示しているが、複数種類の光ディスク２０に対応した複数のレーザーダイオード２を備えた光ピックアップＰ（Ｐ１、Ｐ２）であってもよい。
【００３０】
偏光ビームスプリッタ３は、偏光方向が互いに直交する二つの直線偏光の一方を透過させ、他方の直線偏光を反射させる機能を有し、レーザーダイオード２が出射するレーザー光を透過し、光ディスク２０が反射したレーザー光を光検出器９に向けて反射する。光検出器９は、受光したレーザー光が有する光情報を電気信号に変換する。
【００３１】
コリメートレンズ４は、入射するレーザー光を平行光に変換する機能を有する。また、このコリメートレンズ４をコリメートレンズ駆動ユニット１０に組み込んで光軸方向に移動可能として、コリメートレンズ４を通過するレーザー光の収束発散状態を調整可能とする球面収差補正機構１１を構成している。
【００３２】
立ち上げミラー５は、コリメートレンズ４から送られるレーザー光を光ディスク２０に向けて反射する。また、１／４波長板６は、直線偏光を円偏光に変換し、円偏光を直線偏光に変換する機能を有し、立ち上げミラー５が反射した直線偏光のレーザー光を円偏光に変換して対物レンズ７に入射し、光ディスク２０から反射される円偏光のレーザー光を直線偏光に変換して、立ち上げミラー５からコリメートレンズ４に入射させる。
【００３３】
対物レンズ７は、レーザー光を集光して光ディスク２０の記録面２０ａに照射し、記録面２０ａから反射されたレーザー光を受光して１／４波長板６に入射させる。
【００３４】
この対物レンズ７は、レーザー光を光ディスク２０の記録面２０ａにスポットとして集光させる機能を有するが、ガラスレンズと比較して軽量であり、また大量生産が可能でコストが安いプラスチックレンズを使用することが好ましい。
【００３５】
また、例えば、対物レンズ７と１／４波長板６とを共にアクチュエータ１２に搭載して、フォーカス方向とトラッキング方向に移動可能としている。
【００３６】
アクチュエータ１２は、対物レンズ７を装着するレンズホルダを、複数の導電性の支持ワイヤを介して揺動自在に支持しているワイヤ支持型のアクチュエータであって、光ピックアップの固定部となるベースに対して変位自在に構成されている。また、可動部となるレンズホルダ側に、フォーカスコイルとトラッキングコイルを有するコイル部を設け、該コイル部に磁界を印加する磁界発生部をベース側に設けて、所定電圧の電力を支持ワイヤを介してコイル部に印加することで、このコイル部と磁界発生部との電磁力作用によって対物レンズ７を所定量変位させることができる。つまり、各コイルに供給する電流の大きさと向きを調整することで、フォーカシング調整やトラッキング調整や傾き調整を行うことができる。
【００３７】
シリンドリカルレンズ８は、光ディスク２０の記録面２０ａから反射されたレーザー光に非点収差を与える機能を有し、この非点収差をフォーカスエラー検出に用いることができる。
【００３８】
光検出器９から出力される電気信号は、信号処理部１３に送られる。信号処理部１３は、光検出器９から受け取った電気信号を処理して、ＲＦ信号、フォーカスエラー信号（ＦＥ信号）、トラッキングエラー信号（ＴＥ信号）等を生成する。なお、ＲＦ信号によって情報の読み出しが行われ、ＦＥ信号、ＴＥ信号に基づいてフォーカシング制御やトラッキング制御が行われる。
【００３９】
制御部１４（第一光ピックアップＰ１では１４Ａ、第二光ピックアップＰ２では１４Ｂとなる）は、光ピックアップＰ（Ｐ１、Ｐ２）の動作全体を制御する機能を有する。例えば、レーザーダイオード駆動回路１５の制御や、球面収差補正機構１１の制御や、前述したアクチュエータ１２の制御などを行う。
【００４０】
また、レーザーダイオード駆動回路１５を備えた基板上にサーミスタ１６を配設して、このサーミスタ１６からの温度情報からレーザーダイオード２の光出力を制御する。さらに、サーミスタ１６の温度情報から対物レンズ７の温度を認識して、得られた温度に応じて対物レンズ７の温度特性を補正する制御を行う。
【００４１】
対物レンズ７の温度特性を補正する制御の一つである球面収差補正機構１１の制御は、制御部１４が信号処理部１３から情報を受け取って行うことも可能であるが、上記したように、サーミスタ１６の温度情報から対物レンズ７の温度を認識して、認識された温度に応じて行うことができる。また、これらを組み合わせることも可能であって、サーミスタ１６の温度情報から所定の補正制御を行い、その後で、信号処理部１３からの信号を用いて微調整することもできる。
【００４２】
光ディスク２０の再生開始時には、光ディスク２０を立ち上げて、光ディスク２０の種類を判別し、判別された光ディスク２０の種類に応じた制御パラメータを決定し、ディスクの記録状態に応じて光ピックアップＰ（Ｐ１、Ｐ２）を初期位置に設定するスピンアップ処理を実行し、その後で、再生が開始される。
【００４３】
そのために、光ディスク２０の半径方向の全域に亘ってスピンアップ処理を実行する必要が生じるので、このスピンアップ処理の時間を短縮するために本実施形態では、ディスクの内周部分を主に走査する第一光ピックアップＰ１とディスクの外周部分を主に走査する第二光ピックアップＰ２とを設ける構成として、光ディスク２０の装着後に開始されるスピンアップ処理の際に、第一光ピックアップＰ１を介して内周部分Ａのディスク情報を読み取り、第二光ピックアップＰ２を介して外周部分Ｂのディスク情報を読み取る構成とした。
【００４４】
ディスクの内周部分Ａと外周部分Ｂとの区別は、データのエリアやアドレス情報により区別することも可能であるが、ディスクのサイズに応じた半径領域により区別するほうが簡便であるので、本実施形態では、直径１２ｃｍのディスクと直径８ｃｍのディスクの両方を考慮して、半径４０ｍｍまでの領域を内周部分Ａとし、それ以外の領域を外周部分Ｂとして制御する構成としている。この領域は、特に限定されるものではなく、ディスクサイズに応じて適宜設定することができる。
【００４５】
上記の構成であれば、光ディスク２０の再生開始時に実行されるスピンアップ処理を、ディスクの内周部分Ａは第一光ピックアップＰ１を介して実行し、ディスクの外周部分Ｂは第二光ピックアップＰ２を介して実行して、スピンアップ処理時間を短縮することができる。また、第一光ピックアップＰ１を予め内周部分Ａに近接して配置し、第二光ピックアップＰ２を予め外周部分Ｂに近接して配置しておくことができるので、それぞれの光ピックアップの走査移動距離も短くなって、再生開始までの時間をさらに短縮することができる。
【００４６】
また、図２に示すように、第一、第二光ピックアップの走査領域をラップさせる構成としてもよい。例えば、第一光ピックアップＰ１の走査領域を内周部分Ａ１とし、第二光ピックアップＰ２の走査領域を外周部分Ｂ１として、走査領域が重なるラップ領域Ｃを設ける構成とする。この構成であれば、第一、第二光ピックアップ境界部の読み取りエラーを完全に防止可能となって好ましい。
【００４７】
また、ディスクの内周部分のみを走査して必要な制御情報を含むディスク情報が取得できる場合には、第一光ピックアップＰ１のみを走査するスピンアップ処理を行えばよいので、スピンアップ処理の際に、まず、第一光ピックアップＰ１を走査して、ディスクの内周部分に記録された制御情報から確認が必要なディスク情報が記録されているアドレスを確認し、その後で、第二光ピックアップＰ２を走査移動する構成としてもよい。
【００４８】
例えば、図３のフローチャートに示すように、再生操作が開始されると、ステップＳ１で内周用ＯＰＵ（第一光ピックアップＰ１が相当）と外周用ＯＰＵ（第二光ピックアップＰ２が相当）の各々の自動調整を行う。それから、ステップＳ２で、ディスクの内周部分に記録されたディスク情報をリード（読み取り）し、制御情報を含むディスク情報が記録されたアドレスを確認して、ディスク情報が内周部分のみか否かの判定を行い、内周部分のみであれば（ＹＥＳの場合）、ステップＳ３で内周用のＯＰＵ（第一光ピックアップＰ１）を走査してディスク情報をリード（読み取る）する。また、ステップＳ２で、ディスク情報が内周部分のみでなく外周部分にも記録されている（ＮＯの場合）と判定された場合に、ステップＳ４の外周用のＯＰＵ（第二光ピックアップＰ２）を走査してディスク情報をリード（読み取る）する。
【００４９】
このように、光ディスク２０の信号記録面に対してレーザー光を照射し、信号記録面からの反射光を受光し、当該光ディスク上の記録信号を再生する光ディスク装置において、光ディスクの内周部分を主に走査する第一光ピックアップと、光ディスクの外周部分を主に走査する第二光ピックアップを備え、光ディスクの装着後に開始されるスピンアップ処理の際に、前記第一光ピックアップを介して前記内周部分のディスク情報を読み取り、前記第二光ピックアップを介して前記外周部分のディスク情報を読み取る構成とすることで、スピンアップ処理時間を短縮可能な光ディスク装置を得ることができる。
【００５０】
また、本実施形態の第一、第二光ピックアップＰ１、Ｐ２は、それぞれ駆動部を備えて独立して駆動可能であると共に、一括制御部に接続されているので、それぞれを走査移動して、記録情報を取得することができる。そのために、記録情報を再生する際に、第一光ピックアップＰ１が読み取る第一情報と第二光ピックアップＰ２が読み取る第二情報とを同時に出力する構成として、一画面に異なる二つの情報を表示することができる。
【００５１】
また、一画面に異なる二つの情報を表示する際には、二つの光ピックアップが取得した情報を一括制御部で同時にコントロールすることができるので、これらの二つの情報を分割された二画面にそれぞれ別に表示することも、一画面に重畳表示することも可能である。
【００５２】
上記したように、本発明に係る光ディスク装置によれば、光ディスク装着時に実行するスピンアップ処理時間を短縮可能な光ディスク装置を得ることができる。
【００５３】
さらに、一括制御部を介して、第一光ピックアップが読み取る第一情報と前記第二光ピックアップが読み取る第二情報とを同時に出力可能としているので、再生操作時には、二つの光ピックアップが取得した情報を一括に出力して、これらの二つの情報を分割された二画面にそれぞれ別に表示し、また、一画面に重畳表示することも可能となる。
【産業上の利用可能性】
【００５４】
そのために、本発明に係る光ディスク装置は、ＤＶＤプレーヤやＤＶＤレコーダなどにおいて、再生開始時の立ち上げ時間を速くしたい光ディスク装置に好適に適用することができる。
【符号の説明】
【００５５】
１    光ディスク装置
２０    光ディスク
４０    一括制御部
Ｐ    光ピックアップ
Ｐ１  第一光ピックアップ
Ｐ２  第二光ピックアップ
Ａ    内周部分（ディスクの）
Ｂ    外周部分（ディスクの）
Ｃ    ラップ領域
【図１】
2011113583.tif 000003
【図２】
2011113583.tif 000004
【図３】
2011113583.tif 000005
【図４】
2011113583.tif 000006